Podtech/llm-jp-corpus-v4-ja_patent huggingface dataset:
(57)【要約】【課題】種々の形態に組み付けることが可能な飾り棚の改良を提供する。【解決手段】  長方形の台座を設け、該台座の上端に垂直にプレイトを設け、該プレイトの素材は鉄を使用し、該鉄の外層を薄い素材にて覆う。異なる形状の棚板を設け、該棚板の背面側にそれぞれ磁性部品を埋め込むことで、磁力を介してプレイトの任意な位置に棚板を吸着固定することを可能として、異なる形態の組合せができる飾り棚となる。台座及び各棚板に様々な物品や電化製品、装飾品を置くことができる。【選択図】  図2
0003139916.tif 000002
【実用新案登録請求の範囲】
【請求項１】
台座及び棚板を含み、
前記台座は断面長方形状の形状に形成され、該台座上端の後方に垂直にプレイトを設け、該プレイトは磁性体により形成して該磁性体の外層を薄い素材にて覆い、
前記棚板はそれぞれ異なる形状を呈し、該棚板の後ろ端にそれぞれ磁性部品を埋め込み、
前記棚板に埋め込んだ磁性部品の磁力を介して、前記プレイトの任意な位置に前記棚板の吸着固定を可能とし、異なる形態に構築することを可能とした飾り棚。
【請求項２】
前記プレイトの磁性体を包む外層の素材は、木材、プラスティック或いはその他の材質を用いることを特徴とする請求項1記載の飾り棚。
【請求項３】
前記棚板は、平ら状、波状、枠状或いはその他の幾何、非幾何の形状に形成し、異なる形態の組合せができることを特徴とする請求項1記載の飾り棚。
【考案の詳細な説明】
【技術分野】
【０００１】
本考案は、組立が簡単且つ異なる形態に変化できる飾り棚の改良に関する。
【背景技術】
【０００２】
一般的に、電気製品及び装飾品を置く飾り棚は、通常ボックス及び多数の棚板で構成されている。このような従来の飾り棚は、固定的な所定形状に組み立てられているため、消費者が購入する際、所定の形状などに組み立てられている現有の製品を選択購入するしかない。そのため、消費者が自分のニーズに合わせられる飾り棚が欲しい場合は、オーダーメイドするしか方法がなく、コストが高く且つ時間もかかるといった不都合がある。
【考案の開示】
【考案が解決しようとする課題】
【０００３】
本考案はこれらの事情に鑑みてなされたもので、組み立てが簡単であり、且つ異なる形態の組合せに変化でき、消費者のそれぞれ異なったニーズに応えられるようにした飾り棚を提供することを目的とする。
【課題を解決するための手段】
【０００４】
前記課題を解決するために、本考案の一態様による飾り棚は、長方形のボックス状の台座を設け、該台座の上端に垂直のプレイトを設ける。該プレイトの素材は鉄を使用し、該鉄は薄い木材、或いはプラスティック、或いはその他の材質で鉄の外層を包む。複数の異なる形状の棚板を設け、該棚板にそれぞれ磁性部品を埋め込むことで、磁性部品同士の磁性を介し、該プレイトの任意な場所に棚板を吸着固定することができ、異なる形態に組み合わせる飾り棚を構成し、消費者の異なるニーズに合わせて変化に富むことで、実用価値を上げる。
【０００５】
前記棚板の形状は平ら状、波状、枠状、或いはその他の幾何、非幾何の形状などを用いることができる。
【考案の効果】
【０００６】
本考案は、プレイト及び棚板にそれぞれ磁性部品を設置することにより、任意に棚板をプレイトの好みの位置に固定することができ、異なる形態に組み立てることが可能であり、且つオーダーメードに比べてコストを安く抑えることができる。
【考案を実施するための最良の形態】
【０００７】
以下、図面を参照して本考案野実施例を説明する。
【０００８】
図1及び図2は、本考案の実施例である飾り棚を示す立体図である。この飾り棚は、断面長方形状に形成されたボックス状の台座1を備え(本実施例では楕円形状に形成)、該台座1の上端後方に垂直プレイト2を設け、該プレイト2の素材は例えば鉄21等の磁性体であり、該鉄21は薄い外層22で覆い、該外層22は木材、或いはプラスティック或いはその他任意の材質を用いることができる。
【０００９】
前記プレイト２に組み付ける多数の棚板は、異なる形状を呈す。図に示す実施例の三角形状の平ら状の棚板3、波状の棚板4、枠状の棚板5或いはその他の幾何或いは非幾何形状の棚板を使用し、それぞれの棚板3、4、5の後端には磁性部品31、41、51が埋め込まれている。
【００１０】
前記棚板3、4、5は、磁性部品31、41、51の磁力を介し、前記プレイト2の任意な位置に吸着固定することができ、異なる形態の組合せが可能な飾り棚を構成することができる。前記台座1には、任意の物品を置くことができ、また各棚板に飾り物を飾るなど、変化に富み、異なる消費者のニーズに応えることが可能である。
【００１１】
[応用例１]
図3に示すように、前記台座1の中にDVDプレイヤー61などを置き、台座1の上はテレビ62などの家電製品を置くことができる。前記プレイト2の任意な位置には、平ら状の棚板3及び枠状の棚板5を吸着固定し、装飾品を飾ることが可能である。
【００１２】
[応用例２] 
図4に示すように、前記台座1の中にDVD63或いは本65などを置き、台座1の上にオーディオ64などの家電製品を置き、前記プレイト2の任意な位置に平ら状の棚板3及び波型の棚板4を吸着固定し、装飾品を飾ることが可能である。
【００１３】
[応用例３] 
図5に示すように、前記台座1に本65などを置き、台座1の上方にあるプレイト2の任意な位置に波型の棚板4及び枠状の棚板5を吸着固定し、装飾品を飾れば、飾り棚として異なる形態を構築できる。
【００１４】
[応用例４] 
図6に示すように、前記台座1に本65及びビデオテープ66などの物品を置き、台座1上方にあるプレイト2の任意な位置に、平ら状の棚板3及び枠状の棚板5を吸着固定し、装飾品を飾ると、さらにまた異なる形状の飾り棚になる。
【００１５】
[応用例５] 
図7に示すように、本考案の実施例の飾り棚は、プレイト2を単独で使用することができ、該プレイト2を釘7などで壁に固定し、平ら状の棚板3及び枠状の棚5板(波状の棚板6)を任意の位置に吸着固定し、装飾品を飾る態様に使用できる。
【図面の簡単な説明】
【００１６】
【図１】実施例の飾り棚を示す立体図である。
【図２】実施例の飾り棚を示す立体図である。
【図３】本考案実施例の応用例１を示す説明図である。
【図４】本考案実施例の応用例２を示す説明図である。
【図５】本考案実施例の応用例３を示す説明図である。
【図６】本考案実施例の応用例４を示す説明図である。
【図７】本考案実施例の応用例５を示す説明図である。
【符号の説明】
【００１７】
1  台座
2  プレイト
21  鉄片
22  外層
3  平ら状の棚板
31  磁性部品
4  波状の棚板
41  磁性部品
5  枠状の棚板
51  磁性部品
61  DVDプレイヤー
62  テレビ
63  DVD
64  オーディオ
65  本
66  ビデオテープ
7  釘
【図１】
0003139916.tif 000003
【図２】
0003139916.tif 000004
【図３】
0003139916.tif 000005
【図４】
0003139916.tif 000006
【図５】
0003139916.tif 000007
【図６】
0003139916.tif 000008
【図７】
0003139916.tif 000009
(57)【要約】【課題】照明の暗い場所では展示作品が良く見えないが、人の目を引くには作品にスポット照明をあてるか、作品自体を光らせるのが一番よい。【解決手段】そこで、額縁の内側に作品照明用のＬＥＤを外部から見えないように並べて作品を照したり、その投入光や反射光及び透過光を利用して、カットグラスや、ステンドグラスの効果を組み合わせた光のアート作品を創作することが出来る。【選択図】図１
0003139979.tif 000002
【実用新案登録請求の範囲】
【請求項１】
額縁の内部の基台にＬＥＤを並べて展示品の照明が出来るようにした箱型額縁
【請求項２】
額縁裏板の内側に光沢アルミ箔の乱反射シールを貼り、展示品の裏側から光を透過させて観賞する構造
【考案の詳細な説明】
【考案の開示】
【考案が解決しようとする課題】
【０００１】  額縁の中を劇場の舞台と考えると舞台をできるだけ明るく照明するのが普通だが、今までの照明器具（白熱球や蛍光ランプ）では大きくて額縁の中へ収納するのが難しかった。
【課題を解決するための手段】
【０００２】  ＬＥＤを使用するとこれらの問題を解決できる。まず小さくて寿命がが長く、消費電力が少なく、光の照射角度もある程度調整でき、額縁の中へ収納設置が容易である。
【考案の効果】
【０００３】周囲が暗いほど舞台が引き立つのと同じで、ライトインフレームを使用した展示品は、照明の暗い廊下、玄関などに装飾と照明を兼ねた展示品として有効に活用できる。この機能を利用して、切り絵、影絵、透明板の加工や着色・塗装、発光塗料や反射ビーズ類を使用したアートなど無限の芸術作品を新しく創作することができる。
【図面の簡単な説明】
【０００４】
【図１】額縁の内側の１隅を立体表示した図である。
【図２】額縁の断面図である。
【図３】ＬＥＤを基台に取り付けた状態をしめす。
【符号の説明】
１  ＬＥＤ
２  基台
３  透明板取付台
４  額縁本体
５  裏板取付桟
６  裏板
７  乱反射箔
８  透明板
【図１】
0003139979.tif 000003
【図２】
0003139979.tif 000004
【図３】
0003139979.tif 000005
【手続補正書】
【提出日】平成19年11月26日(2007.11.26)
【手続補正１】
【補正対象書類名】実用新案登録請求の範囲
【補正対象項目名】全文
【補正方法】変更
【補正の内容】
【実用新案登録請求の範囲】
【請求項１】
発光ダイオード（ＬＥＤ）の照射角度を一個毎に自由に調節できるように組み立てた照明装置を前面から見えない位置に取り付けた箱型額縁。
【手続補正２】
【補正対象書類名】図面
【補正対象項目名】全図
【補正方法】変更
【補正の内容】
【図１】
0003139979.tif 000006
【図２】
0003139979.tif 000007
【図３】
0003139979.tif 000008
【手続補正３】
【補正対象書類名】明細書
【補正対象項目名】全文
【補正方法】変更
【補正の内容】
【考案の詳細な説明】
【考案の開示】
【考案が解決しようとする課題】
【０００１】額縁の中を劇場の舞台と考えると舞台をできるだけ明るく照明するのが普通だが、今までの照明器具（白熱球や蛍光ランプ）では大きくて額縁の中へ収納するのが難しかった。
【課題を解決するための手段】
【０００２】ＬＥＤを使用するとこれらの問題を解決できる。まず小さくて寿命がが長く、消費電力が少なく、光の照射角度もある程度調整でき、額縁の中へ収納設置が容易である。
【考案の効果】
【０００３】周囲が暗いほど舞台が引き立つのと同じで、ライトインフレームを使用した展示品は、照明の暗い廊下、玄関などに装飾と照明を兼ねた展示品として有効に活用できる。この機能を利用して、切り絵、影絵、透明板の加工や着色・塗装、発光塗料や反射ビーズ類を使用したアートなど無限の芸術作品を新しく創作することができる。
【図面の簡単な説明】
【０００４】
【図１】額縁の内側の１隅を立体表示した図である。
【図２】額縁の断面図である。
【図３】ＬＥＤを基台に取り付けた状態をしめす。
【符号の説明】
１  ＬＥＤ
２  基台
３  透明板取付台
４  額縁本体
５  裏板取付桟
６  裏板
７  展示作品
８  透明板
(57)【要約】      （修正有）【課題】起伏のある接地面や床面にチリトリを置くとき、掃き残しが発生しないよう着地部分を密着させ、いかに隙間を無くし効率良く塵やごみを回収できるかを課題とした起伏対応型チリトリの提供。【解決手段】着地面の凸凹に応じて掃き入れ口先が上下可動できるように、複数の分割切り口の入った掃き入れ口４をチリトリ底面１に取り付け、固定爪と爪溝により固定している。また、傾斜を設けた掃き入れ口先の素材弾力を利用した現状回復機能により、接地面に強度な密着度を応用することで掃き残しを防止するよう形成した。【選択図】図１
0003139976.tif 000002
【実用新案登録請求の範囲】
【請求項１】
チリトリの掃き入れ部分を上下に可動させることにより、掃き入れ部と地表面や床面との接点を密着させ、塵やごみの掃き残しが出ないようにしたところに特徴があるチリトリである。
【請求項２】
前記のチリトリは、掃き入れようとする面に起伏がある場合、その起伏部に合わせて掃き入れ部分が各々に上下可動できるよう複数に切り分け、その切り分けた部分が常に掃き入れ部と地表面や床面との接点を密着できるようにしたところを特徴にしたチリトリである。
【考案の詳細な説明】
【技術分野】
【０００１】  本考案は、塵やごみを掃き取るときに、掃き入れ口と地表面や床面との隙間から塵やごみが潜り抜けたり、掃き残しが発生しないように相互間を密着させ、且つ起伏のある部分であっても、掃き入れ口を個々切り分けてることで上下動作を可能にし、起伏部分にも対応できるチリトリに関するものである。
【背景技術】
【０００２】  従来のチリトリは室内外を問わず塵やごみを掃き取るときに、その塵やごみの前に置いて掃き入れることになり、掃き入れ口接点に起伏や隙間があるとその隙間を潜って塵やごみを取り損ねてしまい、掃き入れ口を移動させて再び履き入れる行為を行っている。また襖や障子など溝のあるところではどうしても掃き残しが生じる状況にある。
【考案の開示】
【考案が解決しようとする課題】
【０００３】  上述したように、チリトリの掃き入れ口、着地部分は掃き取る場所の状態により各々異なるため、従来の固定した直線面では起伏の凸凹の隙間に塵やごみが入り込み、掃き取り位置を移動しながら何度も繰り返すことになる。従って、起伏のある場所では着地部分を密着させ、いかに隙間を無くすことができるかが塵やごみを取り損ねないための要因であり、掃き入れ口の隙間をいかに無くすことができるかが課題となる。
【課題を解決するための手段】
【０００４】  本考案は、起伏のある地表面や床面にチリトリを置くとき、設置面の水平な場所を探すのではなく、起伏のある場所に置いても掃き入れ口側が起伏に合わせて密着できるような構造にする必要がある。従って、チリトリの掃き入れ部分が可動して表面に密着させれば隙間を潜り抜ける塵やごみが無くなり、取り残しを防ぐことが可能となり問題点を解決する手段となる。
【考案の効果】
【０００５】  前述のように、本考案のチリトリは単に平面にある塵やごみを取るチリトリではなく起伏のある場所でも敷居のように溝があるところでも容易に取り込むチリトリでなければ利便性のあるチリトリとは言い難たい。また、掃き入れ口が老朽化すると廃棄せざるを得ないが、本考案のチリトリは掃き入れ口を取り替えるだけで継続使用することが可能となり環境にも配慮した利点がある。
【考案実施のするための最良の形態】
【０００６】  掃き入れ口部分は材質をゴムや板バネ、合成樹脂を用いて素材が反発する特質を応用して形状回復機能とし、常に着地面に密着するように傾斜をつけた。また、掃き入れ部分を複数の個体に切り分けたことにより、着地面に凸凹が生じていても起伏に応じて各々自在に上下動作が可能となる。
【実施例】
【０００７】  以下、添付図面により本考案を説明する。
図１は起伏対応型チリトリの本体部全体斜視図で、従来のチリトリと同様にチリトリ底面１とチリトリ側面３及び掛け孔７の付いた取っ手２から構成されており、チリトリ底面１の一部に掃き入れ口４が取り付けられるところに特徴がある。【０００８】  図２は起伏対応型チリトリの掃き入れ口４を外した状態の本体斜視図で、チリトリ底面１の先端に掃き入れ口爪溝５を設け、この爪溝に掃き入れ口爪６が装着し固定され、また取り外すことが可能となるように特徴をつけた。【０００９】  図３は起伏対応型チリトリの本体全体平面図で、掃き入れ口４をチリトリ底面１に設けた爪溝５に、掃き入れ口４の固定爪６を収め固定化しており、固定爪６を外すことで掃き入れ口の取り替えが容易となり、老朽化にも対応させた。【００１０】  図４は掃き入れ口の斜視図で、着地面に起伏が生じていてもその凸凹に応じて掃き入れの口先が各々自在に上下可動できるように、複数の分割切り口Ａを入れたところを考案の特徴とした。また、掃き入れ口４に固定爪６を設け、これを爪溝５に固定させることで容易に取り替えられる利点がある。【００１１】  図５は掃き入れ口の側面図で、チリトリ底面１に掃き入れ口４を装着させ、掃き入れ口の固定爪６を爪溝５に固定することで取り替えも自在となる。また掃き入れ口の口先Ｂに傾斜を設けて、前述したように素材の反発力を利用した形状回復機能により常に接地面との密着を保つようにしたところは最大の特徴としている。【００１２】  図６は起伏対応型チリトリの掃き入れ部分側面図で、掃き入れ口４の口先Ｂがチリトリ側面３より底面側に深く反らせてある。即ち、底面１が接地するときに現状回復機能による弾力で接地面に密着度が増し、塵やごみの取り込みが容易となる。
【図面の簡単な説明】
【００１３】
【図１】起伏対応型チリトリの本体部全体斜視図である。
【図２】掃き入れ口を外した状態の本体部斜視図である。
【図３】起伏対応型チリトリの本体部全体平面図である。
【図４】掃き入れ口の斜視図である。
【図５】掃き入れ口の側面図である。
【図６】起伏対応型チリトリの掃き入れ部分側面図である。
【符号の説明】
【００１４】１．チリトリ底面  ２．チリトリ取っ手  ３．チリトリ側面  ４．掃き入れ口
５．爪溝  ６．固定爪  ７．掛け孔  Ａ．分割切り口  Ｂ．掃き入れ口先
【図１】
0003139976.tif 000003
【図２】
0003139976.tif 000004
【図３】
0003139976.tif 000005
【図４】
0003139976.tif 000006
【図５】
0003139976.tif 000007
【図６】
0003139976.tif 000008
【手続補正書】
【提出日】平成19年11月28日(2007.11.28)
【手続補正１】
【補正対象書類名】実用新案登録請求の範囲
【補正対象項目名】全文
【補正方法】変更
【補正の内容】
【実用新案登録請求の範囲】
【請求項１】
チリトリの掃き入れ口部分をゴム又は板バネ又は合成樹脂から構成して、上下に撓むことができるようにし、掃き入れ口部分と地表面や床面とを密着させ、塵やごみの掃き残しが出ないようにしたことを特徴とする起伏対応型チリトリ。
【請求項２】
前記、掃き入れ口部分を横方向に複数に切り分け、地表面や床面に起伏がある場合でも常に掃き入れ口部分と地表面や床面とを密着できるようにしたところを特徴とする請求項１に記載の起伏対応型チリトリ。
(57)【要約】      （修正有）【課題】排水口より物を落とし排水管内に流し込んでしまった際、簡単に除去できる排水管内異物つまり引き揚げ掃除具を提供する。【解決手段】排水管内の内部に自由に進入し得る大きさとされ、左・右・先端にマグネット１と先端合成ゴム２と大・小の羽根３を備えている。左右の羽を選択する。排水管の入り口より先端の羽をゆっくり上下させるように進入させていく。異物の奥に羽根が差し込めるまで数回ベルトを前後する。異物が羽根の部分に引掛ったことを確認する。異物が外れないように静かに少しずつ引き揚げていく。異物を取り除けないときは前の動作を数回繰り返して行う。異物に合わせて羽根が開き異物が引き揚げられる。先端マグネットも同じ動作を行いマグネットで引き揚げる。【選択図】図１
0003139972.tif 000002
【実用新案登録請求の範囲】
【請求項１】
排水管内の内部に自由に進入し得る大きさとされ左・右・先端にマグネットと大・小の羽根を備えていることを特徴とする、排水管掃除具である。
【考案の詳細な説明】
【技術分野】
【０００１】本案は一般家庭における排水管の異物によるつまりを取り除くことを目的とする。
【背景技術】
【０００２】従来の家庭の排水管掃除具は吸着するものや圧送する器具が大半である。
【考案の開示】
【考案が解決しようとする課題】
【０００３】従来の器具では異物の進入口より、異物を引き揚げることが出来なかった。物を落とし流し込んだ場合その除去が困難でありこれを除去する簡単な道具がない。
【考案の効果】
【０００４】以上の説明から明らかなように本考案よりベルトの左右の羽根を選択肢、排水管内部に進入させ異物を引き揚げることが出来る。
【考案を実施するための最良の形態】
【０００５】以下、本案の実施の形態を図１、２に基づいて説明する。【０００６】左右の羽を選択する。図１。【０００７】排水管の入り口より先端の羽をゆっくり上下させるように進入させていく。図２。【０００８】異物の奥に羽根が差し込めるまで数回ベルトを前後する。図２−８。【０００９】異物が羽根の部分に引掛ったことを確認する。【００１０】異物が外れないように静かに少しずつ引き揚げていく。【００１１】異物を取り除けないときは前の動作を数回繰り返して行う。【００１２】異物に合わせて羽根が開き異物が引き揚げられる。【００１３】先端マグネットも同じ動作を行いマグネットで引き揚げる。
【符号の説明】
Ａ  排水管掃除具（大）
Ｂ  排水管掃除具（小）
１  マグネット
２  先端合成ゴム
３  羽根
４  ベルト
５  排水管掃除具
６  排水管
７  異物
８  羽根
【図１】
0003139972.tif 000003
【図２】
0003139972.tif 000004
【手続補正書】
【提出日】平成19年10月18日(2007.10.18)
【手続補正１】
【補正対象書類名】明細書
【補正対象項目名】全文
【補正方法】変更
【補正の内容】
【考案の詳細な説明】
【技術分野】
【０００１】従来の家庭の排水管掃除具は吸着するものや圧送する器具が大半である。排水管に異物を一度流し込むと取り除くことが困難を極める問題がある。
【考案が解決しようとする課題】
【０００２】一般家庭において、排水管に異物を流し込んでしまうと、市販の掃除具では流し込んだ異物を取り除くのは困難であり、これを除去する簡便な道具がない。そのため専門業者に依頼せざるを得ないのが通例である。
【０００３】そこで本考案の目的は、手軽に排水管内部の異物による排水管詰まりを解除することが出来るようにした、排水管内部異物引き上げ具を提供する事にある。
【課題を解決するための手段】
【０００４】目的を達成すべく、本考案では、排水管の内部に進入し得る大きさとされる異物取り除きようのマグネットと柔軟な羽根をベルトの先端にそなえた、異物取り除き具を提案する。
【作用】
【０００５】上述の構成からなる排水管掃除具では、先端部の羽根を排水管内の異物より奥に進入させることが可能で、羽を引き戻す際、異物に羽根が引っかかる機能を持つことになる。
【実施例】
【０００６】本考案実施例を以下に添付した図面に基づいて説明する。図１において（Ａ）・（Ｂ）は排水管掃除具先端部分で排水管掃除具先端（Ａ）・（Ｂ）は、ベルト４を備えている。【０００７】図２において、排水管５が異物６で詰まったときは、排水管５の入口よりベルト４を持ち（Ａ）・（Ｂ）の先端の羽根を選択し排水管掃除具の準備を行う。【０００８】上述の準備作業が完了した後、排水管掃除具図２に示すベルト４を排水管内部に静かに進入させてゆき、異物６に到達させる。さらに先端羽根（Ｂ）を異物６の隙間を通し異物より奥に差し込む。これで引き上げ準備作業が完了される。【０００９】次にベルト４を排水管内部５より少しずつ引き上げ、異物６が先端の羽根５に引掛った事を確認し、排水管入口まで異物６をゆっくりと誘導させ、異物を進入口まで引出し取り除く。
【効果】
【００１０】以上の説明から明らかなように、本考案によれば、基本的に先端の羽根を進入させるだけで異物を引き上げる事ができ、排水管内部の詰まりを取り除くことができるため、簡便に排水管の掃除を行うことができる。
【図面の簡単な説明】
【００１１】図１  実施例にかかる排水管掃除具の縦断面図。
図２  実施例にかかる排水管掃除具の適用例を示す図。
【符号の説明】
【００１２】Ａ  排水管掃除具（大）
Ｂ  排水管掃除具（小）
１  マグネット
２  先端合成ゴム
３  羽根
４  ベルト
５  排水管
６  異物
【手続補正２】
【補正対象書類名】図面
【補正対象項目名】図２
【補正方法】変更
【補正の内容】
【図２】
0003139972.tif 000005
(57)【要約】【課題】電波発信機において、防水性と強度を高めるためには、ケースの素材を厚くし、電波を強くするなどの必要があった。これをケース自体の仕様により発信電波を効率よく利用することで解決する。【解決手段】電波発信機ケースにおいて、電波発信の必要がない側のケースを金属性の素材にて製作するか、金属板を貼付し製作する。電波発信が必要な側のケースをプラスチックによって製作する。これにより電波発信の必要がない側のケースでは電波を反射し、電波の発信が必要な方向で発生するケースでの電波減衰を補う。【選択図】図１
0003139974.tif 000002
【実用新案登録請求の範囲】
【請求項１】
金属又は金属を貼付したパーツと、プラスチックなどのパーツからなる、異種素材を組み合わせた電波の送信範囲をコントロールする電波発信機ケース。
【請求項２】
請求項１の構造を利用し電波発信強度の安定と、防水性、強度を兼ね備えた電波発信機ケース。
【請求項３】
請求項１、請求項２、に該当する内容に相当する発信用アンテナケース。
【考案の詳細な説明】
【技術分野】
【０００１】本考案は、主に野外での野生生物の電波による情報取得を目的とした発信機において、発信機の発信電波を効率よく利用し、なおかつ防水性と耐強度性を確保する発信機ケースを提供するものである。
【背景技術】
【０００２】従来の発信機ケースでも、一定の防水性、耐強度性を持ったものは使用されていたが、一般的な利用範囲おいて使用可能な範囲で設計されており、特殊な使用条件ではこれらの性能を強力なものにするためにケース厚を厚くする必要があり、結果として電波損失がケース上で発生していた。【０００３】また、使用状態、装着状態から電波状況を考え、効率よく電波を発信する発信機ケースという概念がなかった。
【考案の開示】
【考案が解決しようとする課題】
【０００４】電波発信機において、防水性を高め強度を高めるためには、ケースの素材を厚くする必要があった。そのため高強度のケースを使用するとケース厚により発信電波が弱くなってしまい、期待する電波強度を得ることができなかった。従来の解決方法では、発信電波を強くする、アンテナを増設するなどの手法が用いられてきたが、本考案はこの課題を解消するために、ケース自体の仕様により発信電波を効率よく利用し解決しようとなされたものである。
【課題を解決するための手段】
【０００５】異種素材使用の電波発信機ケースにおいて、電波発信の必要がない側のケース１を金属性の素材より製作する。電波発信が必要な側のケース２をプラスチックによって製作する。これにより電波発信の必要がない側のケースでは電波を反射し、電波の発信が必要な側のケースでの電波減衰を補う。【０００６】同種素材使用の電波発信機ケースにおいて、電波発信の必要がない側面を持つケース３の内面に金属性の素材版を貼付する。これにより電波発信の必要がない側面では電波を反射し、電波の発信が必要な方向での電波減衰を補う。
【考案の効果】
【０００７】異種素材使用の電波発信機ケースにおいて、防水性、耐久強度を上げつつ期待の電波強度（ケースのない場合を基準）を得られた。
図３  熊用発信機ケース（強度重視タイプ）【０００８】同種素材使用、金属板貼付の電波発信機ケースにおいて、防水性、耐久強度を上げつつ期待の電波強度（ケースのない場合を基準）を得られた。
図４  牛、馬、鹿など４つ足動物用発信機ケース
【実施例】
【０００９】北海道新得町ベア・マウンテンにて熊の位置取得のため首に装着し使用。
使用電波：無線ＬＡＮ帯域
防水性、耐久性を強くしつつ、期待値の電波強度を確保。
（本考案を使用しないＦＲＰケースの場合、良好な電波結果を得られなかった。）
写真１  （熊装着写真、写真は同構造のプロトタイプ）
【図面の簡単な説明】
【００１０】
【図１】異種素材使用の電波発信機ケース図。
【図２】同種素材使用、金属板貼付の電波発信機ケース図。
【図３】異種素材使用の電波発信機ケースにおいての装着時電波強度図。
【図４】同種素材使用、金属板貼付の電波発信機ケースにおいての装着時電波強度図。〔写真１〕熊装着写真。〔設計図１〕ケース３面設計図
【符号の説明】
【００１１】  １  ケース１（金属製）
２  ケース２（プラスチック製）
３  ケース３（プラスチック製）
４  ケース４（プラスチック製）
５  金属板
６  装着イメージ（熊）
７  電波発信範囲１
８  装着イメージ（牛、馬、鹿など４つ足動物）
９  発信電波範囲２
【図１】
0003139974.tif 000003
【図２】
0003139974.tif 000004
【図３】
0003139974.tif 000005
【図４】
0003139974.tif 000006
0003139974.tif 000007
0003139974.tif 000008
【手続補正書】
【提出日】平成19年11月16日(2007.11.16)
【手続補正１】
【補正対象書類名】実用新案登録請求の範囲
【補正対象項目名】全文
【補正方法】変更
【補正の内容】
【実用新案登録請求の範囲】
【請求項１】
・金属又は金属を貼付したパーツと、プラスチックなどのパーツからなる、異種素材を組み合わせた電波の送信範囲をコントロールする電波発信機ケース。
【請求項２】
・電波発信強度の安定を図りながら、防水性、強度を兼ね備えるため、金属又は金属を貼付したパーツと、プラスチックなどのパーツからなる、異種素材を組み合わせた構造を持つ電波発信機ケース。
【請求項３】
・金属又は金属を貼付したパーツと、プラスチックなどのパーツからなる、異種素材を組み合わせた構造からなる、電波発信強度の安定を図りながら、防水性、強度を兼ね備える電波発信用アンテナケース。
【手続補正２】
【補正対象書類名】明細書
【補正対象項目名】００１０
【補正方法】変更
【補正の内容】
【００１０】
【図１】異種素材（電波反射素材と電波通過素材）使用の電波発信機ケース図。
【図２】同種素材（電波通過素材）使用、金属板貼付の電波発信機ケース図。
【図３】異種素材使用の電波発信機ケースにおいての装着時電波強度図。
【図４】同種素材使用、金属板貼付の電波発信機ケースにおいての装着時電波強度図。
【図５】熊装着写真。
【図６】ケース３面設計図
【手続補正３】
【補正対象書類名】図面
【補正対象項目名】全図
【補正方法】変更
【補正の内容】
【図１】
0003139974.tif 000009
【図２】
0003139974.tif 000010
【図３】
0003139974.tif 000011
【図４】
0003139974.tif 000012
【図５】
0003139974.tif 000013
【図６】
0003139974.tif 000014
(57)【要約】      （修正有）【課題】竹炭及び木炭の黒色粉末が衣服、皮膚等に付着するのを防止し、竹炭、木炭の機能を損なうことなく、装飾品として活用する室内装飾及び除湿、脱臭用竹炭及び木炭の提供。【解決手段】青竹、朱竹、樹木、風景を印刷した和紙１を竹炭２、木炭に巻き付け、和紙の両端を貼付することにより、黒色粉末の付着を防止し、手触り、視覚を良くし、竹炭、木炭本来の機能を損なわず、装飾品としても活用する。【選択図】図１
0003139971.tif 000002
【実用新案登録請求の範囲】
【請求項１】
竹炭又は木炭の炭の面に、和紙に装飾に適する図柄を用い竹炭等に貼付し、炭の面と異なる色、及び風合いを醸しだし、消臭、除湿などの機能を低下させることなく、装飾用として提供するものである。
【考案の詳細な説明】
【技術分野】
【０００１】  本考案は、竹炭、及び木炭に青竹、朱竹、樹木、風景を印刷した和紙を巻き、貼付した竹炭及び木炭に関するものである。
【背景技術】
【０００２】  竹炭及び木炭は、除湿、脱臭に効果があるが、製品そのものの場合は、手触りに難を呈し、黒色粉末が皮膚、衣服等に付着する。
【考案が解決しようとする課題】
【０００３】  竹炭及び木炭は黒色粉末が衣服等にも付着することから、素手で触れるのを躊躇するため、黒色粉末の飛散、付着を防止して、吸湿、脱臭性を損なわない和紙を貼付し、竹炭、木炭の機能を損なうことなく、前述の欠点を解決しようとするものである。
【課題を解決するための手段】
【０００４】  本考案は、竹炭及び木炭に青竹、朱竹、樹木、風景等を印刷した和紙を利用することにより、前述の欠点を解決するものである。
【考案の効果】
【０００５】  和紙を用いることによって、炭の持つ除湿、脱臭等の効果を損なわず、さらに、室内装飾品としての効果も発揮させるものである。
【考案を実施するための最良の形態】
【０００６】  本考案の実施の形態は、竹炭、木炭に青竹、朱竹、樹木、風景などを印刷した和紙を巻き、両端を糊付けするものである。  炭特有の機能を妨げず、部屋の装飾としても用いることができる。
【実施例】
【０００７】  図１は竹炭に青竹を印刷した和紙を巻き付けたもの。
【図面の簡単な説明】
【０００８】
【図１】  本考案の和紙（青竹又は朱竹を印刷したもの）の実施例
【図２】  本考案の風景を印刷した和紙の実施例
【符号の説明】
【０００９】  １  和紙
２  竹炭
【図１】
0003139971.tif 000003
【図２】
0003139971.tif 000004
【手続補正書】
【提出日】平成19年11月24日(2007.11.24)
【手続補正１】
【補正対象書類名】実用新案登録請求の範囲
【補正対象項目名】全文
【補正方法】変更
【補正の内容】
【実用新案登録請求の範囲】
【請求項１】
竹炭又は木炭の炭の面に、和紙に装飾に適する図柄を用い、竹炭又は木炭に貼付した室内装飾及び除湿、脱臭用竹炭及び木炭。
【手続補正２】
【補正対象書類名】明細書
【補正対象項目名】全文
【補正方法】変更
【補正の内容】
【考案の詳細な説明】
【技術分野】
【０００１】  本考案は、竹炭及び木炭の有する脱臭、除湿の作用を利用した装飾用の置物に関するものである。
【背景技術】
【０００２】  竹炭及び木炭は脱臭、除湿の作用があり、マイナスイオンを発生することから布団、枕等の内部に利用したり、炭そのものを室内に置き実用に供せられている。
【考案が解決しようとする課題】
【０００３】  布団、及び枕等の内部に利用されている場合は、炭としての感覚がなく、又、炭そのものを室内に置いて利用する場合は、手触りに難色を呈し、黒色粉末が皮膚及び衣服等に付着する。
【０００４】  よって、本考案が解決しようとする課題は、炭の持つ脱臭、除湿、マイナスイオン発生の機能を低下させずに、皮膚、衣服などを汚すことなく、室内の雰囲気を引き立たせることのできる装飾及び脱臭、除湿用の炭を提供することである。
【課題を解決するための手段】
【０００５】  本考案は竹炭又は木炭の炭の面に、装飾及び皮膚等の汚れを防ぐのに適する部材を用いて、前記炭の面と異なる色、風合いを持たせたものである。
【考案実施の形態】
【０００６】  本考案実施の形態は、竹炭及び木炭等、装飾に用いようとする炭の表面に、青竹、朱竹又は風景等を印刷した和紙１を巻き、和紙１の両端を必要な部分のみ糊を塗布し、貼り合わせ、塗布した部分を押圧して、乾燥させる。
【０００７】  部材１を張り合わせる場合、指あるいはそれと同程度の柔らかさを有する器具を用いることも可能である。  糊を塗布する面積は、部材１の一方の端約１センチメートル程度の幅を部材１の縦の長さだけ塗り、貼り合わせることが望ましく、かつ脱臭、除湿等炭特有の機能を妨げない程度が望ましい。  以上のように構成することにより、装飾として用いる場合も部屋の雰囲気を引き立て、生活環境を快適にする。
【実施例】
【０００８】  第１図は、竹炭を例として表す斜視図、第３図は、第１図の一部の断面図で、本考案の一例で、木炭などあらゆる炭に対応できる。  炭１の表面３に青竹等を印刷した和紙を巻いて糊付けして貼付し、乾燥させる。【０００９】  装飾に適した部材１に使用する素材として、竹、風景に限らず、花、樹木、動物を使用することも可能で、糊は澱粉系、合成糊、ラッカー等可能である。
【考案の効果】
【００１０】  本考案の装飾及び除湿、脱臭用の炭によれば、炭の持つ脱臭、除湿及びマイナスイオン発生の機能を低下させず、且つ、皮膚、衣服等を汚すことなく、室内の雰囲気を醸成し、爽快な気分に転換する癒し効果として用いることもできる。
【図面の簡単な説明】
【００１１】
【図１】  本考案の第一実施例を示す斜視図である。
【図２】  本考案の第二実施例を示す斜視図である。
【図３】  本考案第一実施例の炭に装飾をした状態の断面図である。
【図４】  本考案第二実施例を示す断面図である。
【図５】  本考案和紙の貼付の状態を示す斜視図である。
【符号の説明】
【００１２】  １  和紙
２  竹炭
３  表面
４  糊しろ
【手続補正３】
【補正対象書類名】図面
【補正対象項目名】全図
【補正方法】変更
【補正の内容】
【図１】
0003139971.tif 000005
【図２】
0003139971.tif 000006
【図３】
0003139971.tif 000007
【図４】
0003139971.tif 000008
【図５】
0003139971.tif 000009
(57)【要約】      （修正有）【課題】照り返し防止マットを設置することにより太陽光からの照り返しを防ぐ。【解決手段】成形された静電防止シートやゴムマット７に、撥水性が高く薄い素材の布６を貼り付けることにより繊維の特性を生かし、太陽光１を乱反射させ照り返しを防止する。【選択図】図４
0003139977.tif 000002
【実用新案登録請求の範囲】
【請求項１】
接着した布を貼った成形のマットを置くことにより、太陽光の照り返しを防止するマット。
【考案の詳細な説明】
【技術分野】
【０００１】本考案は、太陽光を拡散し、照り返しを防止するマットに関するものである。
【背景技術】
【０００２】屋外に面する接客用の受付、物品販売用の窓口等はカウンターを設けているが、素材は大理石、御影石、メラミン化粧合板、ポリエステル化粧合板等の平滑な素材でできていることが多く、太陽の角度によっては、庇だけでその光線を遮ることができず、カウンターからの照り返しを遮ることができなかった。（図１）
【考案の開示】
【考案が解決しようとする課題】
【０００３】カウンター改修には経済的負担も大きく、また接客のためサングラス等で眼を保護することもできず、作業に従事するものは我慢するしかなかった。そこで、光りを拡散することで問題を解決しようとするものである。
【課題を解決するための手段】
【０００４】本考案は、繊維の持つ特性を生かし、布を貼り付けたマットを置くことにより、光りを乱反射させ、カウンターからの照りかえしを和らげるものである。（図２）
【考案の効果】
【０００５】布は糸を縦横に織られて形成されている。光りは布に当たると四方に反射するのでカウンターからの照りかえしを１００％とすると、布を敷いた場合は７５％以上の光りを拡散することになる。（図４）
【考案を実施するための最良の形態】
【０００６】撥水性が高く、かつ薄いポリエステル等適宣素材の布を切断し、厚さ２ｍｍ程度の静電防止シートやゴムマットに接着する。形状は必要に応ずるがＷ３５〜４５ｃｍ×Ｌ９０ｃｍ程度もあればよい。それを照り返しの生じる時期にカウンターの上に置くだけである。静電防止シートやゴムマットを下地に使用するのは、風で飛ばされないよう適度の重さを確保するためと、書類を書くときクッション材の役目をはたし、ボールペン等の使用を容易にするためである。また汚れた場合は水洗いも容易である。
【実施例】
【０００７】西日の当たる工場の正門受付では、カウンターからの照り返しが激しく受付嬢が不満を漏らしていたので、本照り返し防止マットを試作し、支給したところ照り返しが解消された。
【産業上の利用可能性】
【０００８】本照り返し防止マットをリース会社等から支給されれば、常に清潔な状態に保てるし、老朽化することもない。接客業の需要は拡大する。また、カウンターでの使用のみならず、屋内外での使用の可能性もある。一例をあげれば運動会のテーブル、自動車のダッシュボード上での使用や、スポットライトの当たる場所である。
【図面の簡単な説明】
【０００９】
【図１】本考案の照り返し防止マットを使用する以前の概略図である。
【図２】本考案の照り返し防止マットを使用した概略図である。
【図３】本考案の照り返し防止マットの一実施例を示す平面図である。
【図４】本照り返し防止マットの一部切欠断面図である。
【符号の説明】
【００１０】  １  太陽光
２  照り返し防止マット
３  照り返し防止マット本体
４  Ｗ寸法
５  Ｌ寸法
６  布
７  マット
８  接着剤
【図１】
0003139977.tif 000003
【図２】
0003139977.tif 000004
【図３】
0003139977.tif 000005
【図４】
0003139977.tif 000006
【手続補正書】
【提出日】平成19年12月3日(2007.12.3)
【手続補正１】
【補正対象書類名】実用新案登録請求の範囲
【補正対象項目名】全文
【補正方法】変更
【補正の内容】
【実用新案登録請求の範囲】
【請求項１】
テーブル又はカウンター上に載置するマットであって、マット本体と、該マット本体の表面の全面に接着剤で貼り付けた布とを備えることを特徴とする照り返し防止マット。
【請求項２】
請求項１に記載の照り返し防止マットにおいて、前記マット本体は静電防止シート又はゴムマットであることを特徴とする照り返し防止マット。
【請求項３】
請求項１又は２に記載の照り返し防止マットにおいて、前記布は撥水性が高い布であることを特徴とする照り返し防止マット。
(57)【要約】      （修正有）【課題】風呂敷に物を包み込むために十文字に結んだ二つの結び目を取っ手として使用しないため、結び目が固く結ばれることが無く、容易に風呂敷から包まれた物を取り出すことが可能である。取っ手とした他の二つの結び目は、用が済んだ後でゆっくり解けばよい。【解決手段】風呂敷の中心に包み込む物を置き、例えば相対する頂点１と５を結び、さらに相対する頂点３と７を結んで包み込む物を十文字に包み、残った四つの頂点のうち、隣り合う二つの頂点、例えば頂点８と６を取っ手となるように結び、さらに頂点２と４を同じく取っ手となるように結んで、それぞれを左右の取っ手とすることで、重い物でも容易に持ち運ぶことができることを可能とした。【選択図】図１
0003139984.tif 000002
【実用新案登録請求の範囲】
【請求項１】
布またはビニール等の素材に正八角形の八つの頂点（１〜８）と、隣り合う頂点の中間に設けられた中間点（▲１▼〜▲８▼）とをそれぞれ直線で結びながら裁断し、全体の形状を正八角の星形としたことを特徴とする図１の風呂敷。
【請求項２】
請求項１の風呂敷で、隣り合う八つの頂点（１〜８）の中間に設けられた中間点（▲１▼〜▲８▼）を丸みを帯びた形状に裁断することにより、破損の可能性を少なくさせたことを特徴とする図２の風呂敷。
【考案の詳細な説明】
【産業上の利用分野】
【０００１】  本発明は風呂敷の形状を正八角の星形にすることで結び目が四つできることに着目し、図１の風呂敷の中心に包み込む物を置き、例えば相対する頂点１と５を結び、さらに相対する頂点３と７を結んで包み込む物を十文字に包み、残った四つの頂点のうち、隣り合う二つの頂点、例えば頂点８と６を取っ手となるように結び、さらに頂点２と４を同じく取っ手となるように結んで、それぞれを左右の取っ手とすることで、重い物でも容易に持ち運ぶことができることを可能とした。
【背景技術】
【０００２】  従来の風呂敷は形状が正方形のため結び目が二つしか出来ず、重い物を風呂敷に包んで運ぼうとする場合、結び目を取っ手として持つこととなり、そのため結び目が解けて包んだ物が風呂敷からこぼれたり、結び目が引っ張られることで固く結ばれてしまい、包んだ物を取り出すとき結び目が解けず大変であった。
【考案が解決しようとする課題】
【０００３】  本発明による風呂敷は、結び目となる頂点を八つ設けることで、包み込む物を相対する四つの頂点で十文字となるように二つの結び目で包み、残った四つの頂点の隣り合う二つの頂点をそれぞれ結ぶことで二つの取っ手ができることとなり、重い物でも容易に持ち運ぶことを可能とした。
本発明では、風呂敷に物を包み込むために十文字に結んだ二つの結び目を取っ手として使用しないため、結び目が固く結ばれることが無く、容易に風呂敷から包まれた物を取り出すことが可能である。取っ手とした他の二つの結び目は、用が済んだ後でゆっくり解けばよいので大きな問題にはならない。
【課題を解決するための手段】
【０００４】  風呂敷の形状を正八角の星形とすることにより、相対する四つの頂点を十文字となるように結ぶことで包み込む物を包み、残った四つの頂点の隣り合う二つの頂点をそれぞれ結ぶことで取っ手とした。
【考案の効果】
【０００５】  本発明による風呂敷では包み込む結び目と、取っ手とする結び目を別に設けることで、重い物でも容易に持ち運べることを可能とした。
【実施例】
【０００６】  布またはビニール等の素材に正八角の八つの頂点（１〜８）と、隣り合う頂点の中間に設けられた中間点（▲１▼〜▲８▼）とをそれぞれ直線で結びながら裁断し、全体の形状を正八角の星形とする。この場合、中間点を鋭角に裁断すると破損する可能性があるので、図３のように丸みをつけて裁断することも効果的である。
【図面の簡単な説明】
【図１】本考案の請求項１の平面図である。
【図２】本考案の請求項２の平面図である。
【図３】本考案の使用状態を表す斜視図である。
【符号の説明】
１頂点、２頂点、３頂点、４頂点、５頂点、６頂点、７頂点、８頂点  ▲１▼中間点、▲２▼中間点、▲３▼中間点、▲４▼中間点、▲５▼中間点、▲６▼中間点、▲７▼中間点、▲８▼中間点
【図１】
0003139984.tif 000003
【図２】
0003139984.tif 000004
【図３】
0003139984.tif 000005
【手続補正書】
【提出日】平成19年12月3日(2007.12.3)
【手続補正１】
【補正対象書類名】実用新案登録請求の範囲
【補正対象項目名】全文
【補正方法】変更
【補正の内容】
【実用新案登録請求の範囲】
【請求項１】
布またはビニール等の素材に正八角形の八つの頂点（１〜８）と、隣り合う頂点との中心点を風呂敷中心に所定距離近づけた中間点（▲１▼〜▲８▼）とをそれぞれ直線で結びながら裁断し、全体の形状を正八角の星形としたことを特徴とする図１の風呂敷。
【請求項２】
請求項１の風呂敷で、頂点１から、隣り合う頂点２との中心点を風呂敷中心に所定距離近づけた中間点▲１▼に到達する前の任意の点までを直線で裁断し、その後隣の頂点２から風呂敷中心に所定距離近づけた中間点▲１▼に到達する前の任意の点までを、風呂敷中心に向かって凸形となるようななだらかな曲線で裁断し、再び隣の頂点２に向かって直線で裁断して、以下同様に全ての裁断をすることにより、風呂敷中心部における破損の可能性を少なくさせたことを特徴とする図２の風呂敷。
【手続補正２】
【補正対象書類名】明細書
【補正対象項目名】０００６
【補正方法】変更
【補正の内容】
【０００６】  布またはビニール等の素材に正八角の八つの頂点（１〜８）と、隣り合う頂点との中心点を風呂敷中心に所定距離近づけた中間点（▲１▼〜▲８▼）をそれぞれ直線で結びながら裁断し、全体の形状を正八角の星形とする。この場合、中間点を鋭角に裁断すると破損する可能性があるので、図２のように頂点１から、隣り合う頂点２との中心点を風呂敷中心に所定距離近づけた中間点▲１▼に到達する前の任意の点までを直線で裁断し、その後隣の頂点２から風呂敷中心に所定距離近づけた中間点▲１▼に到達する前の任意の点までを、風呂敷中心に向かって凸形となるようななだらかな曲線で裁断し、再び隣の頂点２に向かって直線で裁断して、以下同様に全ての裁断をすることにより、風呂敷中心部における破損の可能性を少なくさせることが可能となる。
【手続補正３】
【補正対象書類名】図面
【補正対象項目名】図２
【補正方法】変更
【補正の内容】
【図２】
0003139984.tif 000006
(57)【要約】      （修正有）【課題】カード取り忘れ防止機能を搭載していないカード情報読取装置において、後付け可能なカード取り忘れ防止機能を提供する。【解決手段】カード情報読取装置（１）出口にカード（２）の有無を検知する光電センサ（３）を取り付け、カード（２）読み取り後、カード情報読取装置（１）出口に排出されたカード（２）が、一定時間放置された場合に、カード取り忘れ判定器（５）の内部回路にてカード（２）を取り忘れたと判断し、ブザー（６）や表示灯（７）等を動作させて取り忘れを通知する。光電センサ（３）は、検出距離が短いものを使用すれば、他の物体をカード（２）と誤認することを防止できる。【選択図】図２ｂ
0003139988.tif 000002
【実用新案登録請求の範囲】
【請求項１】
カード情報読取装置において、読み取り後のカードの取り忘れを防止するために、カード出口に装着するカード検出手段と、カード取り忘れを判断する手段と、カード取り忘れを通知する手段を備えたことを特徴とする後付け可能なカード抜き忘れ防止装置。
【請求項２】
前記カード検出手段には、光電センサ（透過型、反射型）、超音波センサ、近接センサ、レーザ変位センサ等が利用できる。
【請求項３】
前記カード取り忘れ判断手段は、一定時間カード検出状態が持続した場合に取り忘れと判断することを特徴とする。
【請求項４】
前記カード取り忘れを通知する手段は、取り忘れと判断した後、ブザーや表示灯で取り忘れを通知することを特徴とする。
【考案の詳細な説明】
【技術分野】
【０００１】  本考案は、運転免許証リーダー等のカード情報読取装置（１）の出口における、読み取り後のカード（２）を取り忘れて離れることを防止する、後付け可能な装置に関するものである。
【背景技術】
【０００２】  従来のカード情報読取装置（１）には、カード（２）の取り忘れを防止する機能を搭載するものもあるが、この機能を搭載しない装置において、重要なカード（２）を取り忘れるトラブルが発生している。
【考案が解決しようとする課題】
【０００３】  カード取り忘れ防止機能を搭載していない装置において、本考案の装置を後付けすることにより、取り忘れを防止することを目的とする。
【課題を解決するための手段】
【０００４】  考案されたカード取り忘れ防止装置は、図１、図２ａ、図２ｂに示すように、カード情報読取装置（１）出口に設置するカード検知手段（Ａ）と、カード（２）が取り忘れられているかを判定するカード取り忘れ判定手段（Ｂ）と、取り忘れていることを通知するカード取り忘れ通知手段（Ｃ）により上記課題を解決する。
【０００５】  カード検出手段（Ａ）には、光電センサ（透過型、反射型）、超音波センサ、近接センサ、レーザ変位センサ等が利用できる。
【０００６】  カード取り忘れ判断手段（Ｂ）は、一定時間カード検知状態が持続した場合に取り忘れと判断させる。
【０００７】  カード取り忘れを通知する手段（Ｃ）は、取り忘れと判断した後、ブザーや表示灯で取り忘れを通知する。
【考案の効果】
【０００８】  今考案の装置は多くのカード情報読取装置（１）に後付け可能で、カード情報読取装置（１）内部を改造することなく、十分な機能を追加することができる。
【考案を実施するための最良の形態】
【０００９】  以下に、本考案の実施形態の一例を図面に基づいて説明する。
カード情報読取装置（１）出口にカード（２）の有無を検知する光電センサ（３）を取り付け、カード（２）読み取り後、カード情報読取装置（１）出口に排出されたカード（２）が、一定時間放置された場合に、カード取り忘れ判定器（５）の内部回路にてカード（２）を取り忘れたと判断し、ブザー（６）や表示灯（７）等を動作させて取り忘れを通知する。
光電センサ（３）は、検出距離が短いものを使用すれば、他の物体をカード（２）と誤認することを防止できる。【００１０】  カード情報読取装置（１）は、一般に、カード情報読み取り中は装置本体内にカード全体が収納され、読み取り後はカードを取り出しやすくするため、カードの一部（数センチ程度）を排出するものが多い。
図２ａでは、一部が排出された状態を表しており、この状態で光電センサ（３）は検知状態となる。【００１１】  カード（２）は、キャッシュカード、クレジットカード、定期券、運転免許証、診察券、ＥＴＣカード、給油カード、鉄道用乗車カード等、多種多様なカードが該当する。【００１２】  カード検知センサ（３）には、光電センサ（透過型、反射型）の他、超音波センサ、近接センサ、レーザ変位センサ等が利用できる。【００１３】  カード検知センサ（３）に光電センサを用いる場合には、太陽光等の外乱光に影響を受けないように、光を定間隔のパルスで放出し、同じ間隔のパルスを受光した場合のみカード（２）と判断させる。この処理はカード取り忘れ判定器（５）の内部回路で行う。
カード（２）挿入時は、太陽光はカード（２）によって遮蔽されるので、正確に認識することができる。【００１４】  一定時間放置された場合にカード（２）を取り忘れたと判断して通知するので、カード（２）を挿入する際は誤動作することはない。【００１５】  必要に応じ、カード（２）を検知してから一定時間経過するまでは、カード（２）の抜き取りを促すため、音量の少ないブザー（６）等を鳴らす機能を付加できる。【００１６】  ブザー（６）や表示灯（７）などでカード（２）の取り忘れに気付き、カード（２）が取り除かれると、ブザー（６）や表示灯（７）等の通知を停止する。【００１７】  判断手段及び通知手段を、カード情報読取装置（１）の利用状況に応じて柔軟に変更することができる。【００１８】  また、他の機器へ通知するための外部出力機能を付加することも可能である。【００１９】  次に、図３に基づき、本考案の作用を説明する。
まず、ステップ（Ｆ１）では、カード（２）が挿入されているか否かを、カード検知センサ（３）で判定し、挿入されていれば次ステップ（Ｆ２）へ進み、挿入されていなければ、挿入されるまで何もしない。【００２０】  そして、ステップ（Ｆ２）では、挿入後一定時間継続して検知しているか否かを、カード取り忘れ判定器（５）で判定し、継続検知していれば次ステップ（Ｆ３）へ進んで通知手段（通知ブザーと通知表示灯）を動作させる。検知していなければ何もせずにステップ（Ｆ１）に戻る。【００２１】  通知手段動作後は次ステップ（Ｆ４）に進み、カード（２）が引き続き挿入されているか否かを、カード検知センサ（３）で判定し、挿入されていればそのまま通知手段を継続動作させ、挿入されていなければ（カードが取り除かれた状態）、次ステップ（Ｆ５）へ進んで通知手段の動作を停止する。
【図面の簡単な説明】
【図１】本考案の基本構成を示すブロック図
【図２ａ】本考案の全体構成を示すシステム図（上面図）
【図２ｂ】本考案の全体構成を示すシステム図（正面図）
【図３】本考案の動作フローチャート
【符号の説明】
１    カード情報読取装置
２    カード
３    カード検知センサ（反射型光電センサ）
４    カード検知ランプ
５    カード取り忘れ判定器
６    通知ブザー
７    通知表示灯
【図１】
0003139988.tif 000003
【図２ａ】
0003139988.tif 000004
【図２ｂ】
0003139988.tif 000005
【図３】
0003139988.tif 000006